(57)【特許請求の範囲】
【請求項１】
幾つかのモニタリングカメラを備えたモニタリングカメラシステムのためのドーム（１０２）であって、前記ドームが透明な材料から形成されており、前記ドームが、第１の対称軸（Ｓ１）の周りの回転角度（α）に沿った回転対称性を有するドーナツ形状を有し、前記ドームの外側セグメントが、断面において、前記第１の対称軸（Ｓ１）から第１の半径（Ｒ）で配置され且つ前記第１の対称軸（Ｓ１）と垂直な、第２の対称軸（Ｓ２）によって更に規定された形状を有し、前記外側セグメントは、前記第２の対称軸（Ｓ２）の周りの角度（β）にわたる第２の半径（ｒ）に従った湾曲を有し、前記角度（β）が９０°より大きいことを特徴とする、ドーム。
【請求項２】
前記外側セグメントを前記第１の対称軸（Ｓ１）に連結させる、中央セグメント（Ｃ）を更に備える、請求項１に記載のドーム。
【請求項３】
単一物質又は単一の材料化合物から製造される、請求項１又は２に記載のドーム。
【請求項４】
前記回転角度（α）が３６０度以下であり、９０度又は１８０度などである、請求項１から３のいずれか一項に記載のドーム。
【請求項５】
前記第２の半径又は第２の半径の組が、前記第１の半径（Ｒ）よりも小さい、請求項１から４のいずれか一項に記載のドーム。
【請求項６】
ドームが、ドームの円形の外周に沿ってベースへと下向きに延在し、前記中央セグメント（Ｃ）が、前記円形の外周によって規定された平面に対するオフセットを伴って配置された本質的に平坦なセグメントである、請求項２に記載のドーム。
【請求項７】
前記中央セグメント（Ｃ’）が、１以上の湾曲を備えた波状セグメントである、請求項２に記載のドーム。
【請求項８】
前記中央セグメントが、前記ドームをポストに取り付けるための手段を備える、請求項２、６又は７のいずれか一項に記載のドーム。
【請求項９】
幾つかのモニタリングカメラ（１０４）を備え、請求項１から８のいずれか一項に記載のドーム（１０２）を使用する、モニタリングカメラシステムであって、前記モニタリングカメラが、ベース（１０６）上に配置され且つ前記ドームに覆われ、少なくとも１つの第１のモニタリングカメラ（１０４）がチルト機能を有し、対応するカメラのチルト軸（Ｔ）が前記第２の対称軸（Ｓ２）と一致する、モニタリングカメラシステム。
【請求項１０】
前記少なくとも１つの第１のカメラ（１０４）が、連続的なやり方で又は固定された位置の間での何れかによって、前記第２の対称軸（Ｓ２）に沿って移動可能に配置されている、請求項９に記載のモニタリングカメラシステム。
【請求項１１】
前記少なくとも１つの第１のカメラが、ガイドレール（１１２）に沿って摺動可能に配置されるように、前記ガイドレールが配置されている、請求項９に記載のモニタリングカメラシステム。
【請求項１２】
カメラの数が、２つ、３つ、４つ、又は５つなどの２つ以上であり、前記カメラは、前記少なくとも１つの第１のモニタリングカメラと同じやり方で配置されている、請求項９から１１のいずれか一項に記載のモニタリングカメラシステム。
【請求項１３】
前記ベースが、前記ドームの中央セグメントと位置合わせされた中央コンソールを備える、請求項８から１２のいずれか一項に記載のモニタリングカメラシステム。
【発明の詳細な説明】
【技術分野】
【０００１】
本発明は、モニタリングカメラシステムのための保護ドームに関し、そのような保護ドームを備えたカメラシステムに関する。
【背景技術】
【０００２】
通常のモニタリングカメラシステムは、ベース上に配置されたカメラヘッドを備える。ベースには、ソケット又は構造に固定することを可能にするための、固定構成が設けられ得る。カメラヘッドは、モータ又は手動で動かすことができ、パン及び／又はチルト動作が可能である。保護ドームは、通常、半球形状を有し、一般的に、カメラヘッドの囲い込みを可能とするようにベース上に取り外し可能且つ固定的に配置される。保護ドームは、物理的な衝撃、埃、雨などからカメラヘッドを保護する。保護ドームは、少なくとも、特定のモニタリング用途に関する波長幅に対して透明である。カメラヘッドがパン及びチルトする際に、保護ドームは静止したままであるが、保護ドームが、少なくともパン動作を実行するときにカメラヘッドと共に移動することを可能にするヴァージョン（ｖｅｒｓｉｏｎ）も存在する。
【０００３】
近年、接合ベース上に幾つかのカメラヘッドを配置し、且つ、接合保護ドームを有することに関心が向けられてきており、次第に大きな保護ドームが生み出されている。本発明は、主として、そのような目的で設計されたドームに関するが、その見識は単一カメラ構成にも同様に応用され得る。
【０００４】
そのような接合ベース上に幾つかのカメラヘッドを配置することは、改良のための幾つかの機会を提供し、本発明もそのうちの１つである。
【発明の概要】
【０００５】
先行技術の欠点のうちの幾つかを取り除き又は少なくとも緩和させる労力において、本開示は、モニタリングカメラシステムのための改良された保護ドームに関する。本発明は、幾つかのモニタリングカメラを備えたモニタリングカメラシステムのためのドームを備え、前記ドームは透明な材料から形成されており、ドームが、第１の対称軸の周りの回転角度に沿った回転対称性を有するドーナツ形状を有し、ドームの外側セグメントは、断面において、第１の対称軸から第１の半径で配置され且つ第１の軸と垂直な、第２の対称軸によって更に規定された形状を有し、前記外側セグメントは、第２の対称軸の周りの角度にわたる第２の半径に従った湾曲を有することを特徴とする。
【０００６】
「回転対称性」は、言葉で形状を説明する最も適切なやり方であるけれども、ドームは、完全な回転（３６０度）にわたり延在する必要はなく、したがって、「回転角度に沿った」を使用していることに留意されたい。更に、好ましくは、第２の半径は一定であるけれども、第２の対称軸の周りの角度によって半径が変動する実施形態も存在し得る。ドームデザインの効果は、ドームの保護領域内のカメラヘッドの配置が単純化され、且つ、画像歪の効果が低減されることである。より小さい第２の半径は、ドームの全体の高さが低減されることをもたらす。
【０００７】
一実施形態では、ドームが、外側セグメントを第１の対称軸に連結させる中央セグメントを更に備える。とりわけ、第１の対称軸は仮想幾何学的な説明のためのみにあるので、第１のセグメントとの連結は、字義通りの連結ではない。
【０００８】
一実施形態では、ドームが、単一物質又は単一の材料化合物から製造され、別の一実施形態では、ドームが、材料の組み合わせから製造される。特に、中央セグメントは、少なくとも２つの部分を備え、第１の部分は第１の材料から製造され、第２の部分は第２の材料から製造され得る。
【０００９】
詳細な説明との関連で説明されるように、ドームの様々な部分又はセグメントは、異なる目的を有し得る。一方、ドームを単一物質又は単一の材料化合物のワンピースで製造することは、単純で容易な製造技術であるが、幾つかの材料の使用は、様々なセグメントがそれらの目的をより良く果たすことをもたらし得る。
【００１０】
一実施形態では、回転角度が３６０度以下であり、９０度又は１８０度などである。容易な実施形態では、ドームが、完全な回転にわたり延在するが、角部内に配置され又は壁に沿って配置されるように構成された実施形態では、９０度及び１８０度が、それぞれ、好適であり得る。
【００１１】
１以上の実施形態では、第２の半径又は第２の半径の組が、第１の半径（Ｒ）よりも小さい。前述の規定は、基本的に、既に「ドーナツ形状」の定義に含まれているはずであり、効果は既に説明されている。
【００１２】
一実施形態では、外側セグメントが、拡張（ｅｘｔｅｎｓｉｏｎ）（β）を有する円弧形状を有し、前記拡張は、９０度よりも小さく、９０度に等しく、又は９０度を超えている。この規定は、同様に、基本的に、「ドーナツ形状」によってカバーされるはずである。好適な一実施形態では、拡張は９０度を超える。何故ならば、これは、カメラヘッドが（ドームが天井内に配置されている一実施形態で）真っ直ぐ見下ろすことを可能にするからである。他の実施形態では、拡張が９０度以下であり、ドームの下方に死角が存在し、必要ならば、下向きの視界が望ましいならば、更なるカメラヘッドがドームの中心に配置され得る。
【００１３】
１以上の実施形態では、中央セグメントが、円形の外周によって規定された平面に対するオフセットを伴って配置された本質的に平坦なセグメントであり得る。平坦なセグメントは、（コネクタ、コンポーネント、コードなどの）構成要素が配置され得るように、ドーム内の中央に空間が存在することを可能にする。
【００１４】
更に他の実施形態では、中央セグメントが、１以上の湾曲を備えた波状セグメントであり得る。ドームの１つの望ましい特徴は、それが下方（すなわち、可能ならば内側）に配置された構成要素を保護するべきであるということである。ドームの一部分に対して衝撃が存在するならば、力が端部などに集中することなしに、力がドーム全体に分散されることが有益であり、そのような文脈では、波状セグメントが平坦なものよりも有利であり得る。中央セグメントは、その下に更なるカメラヘッドが配置され得るところの中央ドームが形成されるようなやり方でも、波状にされ得る。これは、平坦なセグメントが使用される実施形態にも当てはまり得るが、波状のセグメントは、必要とされる構成要素のためのより大きい空間をもたらし得る。
【００１５】
本発明の第２の態様によれば、幾つかのモニタリングカメラを備え、且つ、本明細書の説明によるドームを使用する、モニタリングカメラシステムが提供され、モニタリングカメラはベース上に配置され且つドームに覆われて、少なくとも１つの第１のモニタリングカメラがチルト機能を有し、対応するカメラのチルト軸が前記第２の対称軸と一致する。
【００１６】
一致する軸を有することの最大の効果は、ドームの形状によってもたらされる任意の画像歪が、全てのチルト角に対して等しいだろうということである。
【００１７】
一実施形態では、モニタリングカメラシステムの少なくとも１つの第１のカメラが、連続的なやり方で又は固定された位置の間での何れかで、第２の対称軸に沿って移動可能に配置される。カメラを移動させる能力は、多用途の設置を可能にする。ねじ孔、磁石、ガイドなどを含んだ、可動性を可能にする多くのやり方が存在する。
【００１８】
特定の一実施形態では、前記少なくとも１つの第１のカメラが、前記ガイドレールに沿って摺動可能に配置され得る。これは、可動性を容易にする柔軟な解決策であり、第２の対称軸がチルト軸と適切に一致することを保証する。カメラ又はカメラヘッドは、アンダーカットグリップ及び／若しくは磁石又は締め付け機構によって、レールに固定され得る。
【００１９】
１以上の実施形態では、カメラの数が、２つ、３つ、４つ、又は５つなどの２つ以上であり、カメラは、前記少なくとも１つの第１のモニタリングカメラと同じやり方で配置される。物理的な空間が利用可能である限り、基本的に、任意の必要とされる量のカメラが配置され得る。３６０度の視界のために、４つのカメラが典型的な選択であり、可能性としてはドームの中央セグメントの下方（範囲内）に更なるカメラが配置され、そのカメラは全体を見渡すために魚眼レンズを有し得る。
【００２０】
１以上の実施形態では、ベースが、ドームの中央セグメントと位置合わせされた中央コンソールを備え得る。中央コンソールの使用は、幾つかの有益な効果を有し得る。最も明らかなことは、視認及びアクセスからの適切な保護を保証するために、コンソールが、配線、接続、構成要素などを含み得るということであり得る。別の１つの効果は、コンソールが、カメラヘッド（複数のカメラ）を損傷から保護し、すなわち、コンソールが、破壊に耐えるデザインの一部分であるということである。ドームがカメラの方向へ撓むように、ドームに衝撃がもたらされたならば、カメラは、ドーム自身が壊れなかったとしても損傷を受け得る。そのような状況では、カメラに到達する代わりに、ドームの中央セグメントが、コンソールと係合し、カメラの方向へのドームの更なる動きを妨げる。好ましくは、構成要素、配線などのための空間が存在するように、コンソールが、中空であり、（ねじ、溶接、スナップロック、バイオネット接続などの）取り付けの任意の手段によってベース上に配置され得る。代替的な実施形態では、コンソールが、取り外し可能な蓋も備え、その内部に配置された任意の構成要素に対する容易なアクセスを可能にする。コンソールのサイズは、２つのパラメータによって決定され、第１のものは、コンソールが必要な構成要素を収容すべきということであり、第２のものは、コンソールが破壊からの保護を提供するために中央セグメントと協働可能であるべきということである。中央セグメントの半径方向外側に配置されたカメラを有する幾何学的形状によって、コンソールは、視野を妨げることなしに又は物理的に邪魔になることなしに、中央セグメントと完全に重なり得る。しかし、コンソールは、別のやり方で中央セグメントと位置合わせされ、未だその目的な満たし得る。例えば、コンソールは、中央セグメントの直径よりも小さい直径を有し、中央セグメントの直径よりも大きい直径を有し、より小さい直径を有し且つ中央セグメントからオフセットして配置され、ドームの中央セグメントの下方（範囲内）に配置されるカメラのための空間を増加する円環形状を有し得るなどである。
【図面の簡単な説明】
【００２１】
【図１】第１の実施形態による、ドームの概略断面図である。
【図２】ドームの内側に配置されたモニタリングカメラを有する、第１の実施形態のドームの詳細図である。
【図３】第１の実施形態による、モニタリングカメラシステムの概略断面図である。
【図４】第２の実施形態による、ドームの概略断面図である。
【図５】第１の実施形態による、ドームの概略平面図である。
【図６】第３の実施形態による、ドームの概略平面図である。
【図７】第４の実施形態による、ドームの概略平面図である。
【図８】モニタリングカメラの配置の概略平面図である。
【図９】モニタリングカメラの配置の斜視図である。
【発明を実施するための形態】
【００２２】
図１は、本発明の第１の実施形態による、ドーム１０２を示している。図１は、概略断面図であり、図面内で示されている軸Ｓ１の周りで回転対称性が存在する。断面で見られるように、ドーム１０２の形状は、第２の対称軸によって規定され、第２の対称軸は、第１の対称軸から第１の半径Ｒにおいて配置され、第１の対称軸と垂直である。第２の対称軸が第１の対称軸から距離Ｒだけ離れていることは、明らかな理由で第２の対称軸が平面図で見られたときに円の形態を有するだろうことを意味する。図１で示されているように、ドームの形状は、右から開始して第１の対称軸Ｓ１へ向かって移動し、角度βにわたり第２の対称軸から第２の半径に従った円弧によって表される第１のセグメントによって画定される。第１のセグメントは、第１の対称軸までの最も短い距離において延在する本質的に真っ直ぐな線に従った、中央セグメントに連結する。第１の対称軸Ｓ１の左への部分は、明らかな理由で今説明された部分の鏡像である。
【００２３】
図２では、モニタリングカメラシステムの部分的な図が示されている。図１と比較すると、図２は、図１の右部分を表していることが明らかであり、それは、ドーム１０２と第２の対称軸Ｓ２を示している。カメラ１０４は、ドーム１０２内に配置され、カメラは、その間でカメラがチルト方向に回転されたところの２つの位置で示されている（第１の位置のカメラは参照番号１０４で示され、第２の位置のカメラは参照番号１０４’で示されている）。カメラ１０４は、その周りでカメラ１０４がチルト方向の回転動作を実行し得るところの軸を規定するチルト軸Ｔを有する。チルト軸Ｔが第２の対称軸Ｓ２と一致するようにカメラ１０４が配置され、カメラ１０４が傾く際に、カメラとドームの第１のセグメントとの間の距離が一定になることを保証する。図１では、第２の対称軸Ｓ２が点で表され、それは、ドーム１０２の断面形状を説明するのに十分である。図２のより実際的な実施形態では、少なくとも言葉の字義通りの意味においては、湾曲した第２の対称軸Ｓ２とカメラのチルト軸Ｔとの間に違いがあり得る。何故ならば、湾曲した軸は、実際には、直線的な軸と完全には一致し得ないからである。そのような理由で、「一致」の解釈は、字義通りに解釈されるべきではない。実際には、直線的なチルト軸Ｔは、第２の対称軸Ｓ２の接線方向において配置され、それは、例えば、軸Ｔの中心点が軸Ｓ２と一致するように配置され得る。軸が点とは一致し得ないということは許容範囲内であり、同じことが他のことでも当てはまるだろう。
【００２４】
図３は、少なくとも２つのカメラが配置されている、モニタリングカメラシステムを示している。チルト可能なカメラと同様にドーム１０２は、前述の観点から認識され、更なる説明を導入する必要はない。両方のカメラは、図２のカメラのように配置されていることが強調され得る。前述の構成要素に加えて、ベース１０６が追加された。ベース１０６は、カメラ１０４と同様にドーム１０２のための保持手段として働く。更に、全てが１１０で指定されている、電子機器、処理ハードウェア、及び通信ハードウェアが配置され得る、中央コンソール１０８が配置されている。中央コンソール１０８は、少なくとも、その内部の構成要素を同時に二重の目的で保護するように働く。すなわち、中央コンソール１０８は、ドーム内の内部反射を消去し、したがって、光の輝き及び類似の効果が低減される。そのような効果は、撮像の質を悪化させ、それらは、間違ったイベントもトリガし得る。例えば、動き検出アルゴリズムは、実際の動きに対する反射と間違う可能性がある。中央コンソール１０８は、ドームの中央セグメントＣと位置合わせされ、それによって、平面図で見られる際に、中央コンソール１０８の少なくも一部分が、中央セグメントＣの少なくとも一部分と重なる。示されている実施形態では、中央コンソール１０８が、再び、平面図で見られる際に、中央セグメントＣと完全に重なっている。完全な又は部分的な重なりは、中央コンソール１０８が第３の目的で働き得ることをもたらす。例えば、誰かがドームを叩いた結果として、ドーム１０２に対して衝撃が存在するならば、ドームは、ドーム内に配置されたカメラ及び構成要素に向かって内向きに撓むだろう。これは、１以上のカメラの位置合わせを潜在的に妨害し、又はモニタリングカメラシステムの他の構成要素に物理的な影響さえ与え、不具合、接触不良、又は動作の故障をもたらし得る。代わりに、本設定では、ドーム１０２の中央部分Ｃが、中央コンソール１０８と係合し、衝撃は、衝撃によってネガティブな影響を受けない構造部品に伝達及び吸収され、したがって、カメラシステムの統合及び機能を維持し得る。ドームと接触し得る中央コンソールの表面は、縁がドームに面するように、弾力材で覆われ又は弾力材が並べられていてもよい。コンソールの別の単純な用途は、配線及びケーブルを隠すということである。例えば、カメラからの任意の余剰なケーブルの緩みは、コンソールの下に隠され得る。（図示せぬ）更に別の一実施形態では、ドームの中央セグメント又は少なくともその一部分が存在せず、中央コンソールは、ポストなどに対する取り付け具を備え得る。このやり方で、カメラシステムは、ポストに容易に配置され得る。そのような配置は、中央コンソールが存在せず、取り付け具が必ずしも中央コンソールに配置される必要がない、一実施形態でも同様に実現され得る。（図示せぬ）関連する一実施形態では、ポストなどに取り付けるための手段が、代わりに中央セグメントに配置され、又は中央セグメントの代替品として配置される。同じ族（ｆａｍｉｌｙ）の実施形態からの一実施形態では、角度βが、１８０度又は少なくとも確実に９０度を超え得る。そのような実施形態のヴァージョンでは、ドームが、（示さ���ている実施形態のように）その外周に沿って、且つ、その内周に沿ってベースへと下向き（図中では、上向き）に延在し得る。その後、ポストが、同様にベースに直接的に取り付けられ得る。更なる別の代替的な一実施形態では、ベースが同様に環状であり、ポストがベースの中間を通って延在し得る。別の一実施形態では、モニタリングカメラシステムが、上からぶら下がるように、例えば、ポストから吊り下げられるように構成され得る。そのような構成では、角度βが、１８０度まで（又はそれ以上に）広がり、電子機器はベース内に配置され得る。
【００２５】
図４は、図１のものと類似するが、第２の実施形態によるドーム１０２’の図であり、実施形態の第２の組を実際に表している。実施形態のこの第２の組は、中央セグメントＣ’が、波状のデザインを有している。示されている実施形態では、ドームが未だ回転対称性を有しているが、他の実施形態では、中央セグメントＣ’によって画定される領域が、非対称な凹凸又は形状を有し得る。何らかの種類の凹凸を有する中央セグメントを提供することの１つの理由は、衝撃を吸収するドームの能力を改良することであり得る。鋭い端部は、衝撃又は変形の間に応力が集中する領域を生成し、したがって、破壊の危険性を高め得る。
【００２６】
図５〜図７は、角度αが変化した３つの実施形態を示している。図５の実施形態では、αが３６０度であり、天井に配置され、且つ、完全な３６０度の視界のために例えば４つ以上のカメラがドーム内に配置されることを可能にする、一実施形態を表している。３つ、２つ、又は１つなどの、４つ以上よりも少ないカメラも、無論、配置され得る。図６の実施形態では、αが１８０度に等しく、天井に配置され、且つ、天井が壁によって阻まれている、一実施形態を表している。適切な視野をカバーするために２つ以上のカメラが配置され、一方、より少ない数のカメラ又はより多い数のカメラも、無論、同様に配置され得る。αが９０度に等しい、角部に配置されるために適切な一実施形態が、図７で示されている。
【００２７】
実施形態の別の１つの組では、角度βが変更され、図１で例示されているように、βが最も外周（例えば、それに対してドームが配置されるところの天井）から開始する第１のセグメントの角度の拡張を画定し得る。本質的に、角度βの変更は、ドームの内側に配置されたカメラを傾ける可能性に影響を与えるだろう。特定の場合に対して、角度βは、９０度よりも確実に小さく、９０度よりもわずかに小さく、又は９０度に等しくなり得る。したがって、示されている実施形態では、９０度よりもわずかに大きい角度βが、０度と９０度との間又はそれ以上で変更され得る、カメラのためのチルト角を可能にする。実際、天井内に配置されたカメラシステムのためのこの手段では、カメラが、天井に沿って見る視野及びカメラシステムの下方を真っ直ぐに見下ろす視野も有し、更に別の実施形態では、角度βが９０度よりもわずかに大きく、したがって、単一のドームにおけるモニタリングカメラの適切な配置が、視野の完全なカバーを提供し得る。これに照らし合わせてみると、先行技術の解決策は、概して、より複雑で嵩張り又は多目的性が低い代替案を提供すると述べられ得る。典型的な先行技術の解決策が、米国特許出願第２０１３／０１００２９２号で提示され、ドームが個別の機能部分に分割された、共通の組み合わされた解決策を表している。機能に関して、先行技術の解決策は、比較可能であり且つ使用されるカメラに応じ得るが、より複雑であり、より多い数のジョイントを有し、より目立った幾何学的外形を有するだろう。
【００２８】
図８は、既に説明した特徴を備え、第２の対称軸Ｓ２と位置合わせされたそれらのそれぞれのチルト軸Ｔを伴って配置された４つのモニタリングカメラを有する、モニタリングカメラシステムの概略的な平面図を示している。傾きは、少なくとも好適な実施形態において、角度βと同じ平面でもたらされ、逆も同じである。カメラは、（中央コンソール１０８内の）構成の中間部分内に配置された中央電源から電力供給され、画像データの処理のために該中間分内の処理構成と接続され得る。これは、物理的なケーブルによる単純で容易な接続が、未だ完全な多目的性を提供する間に使用され得ることを保証する。この有益な特徴にもかかわらず、無線システム又はスリップリング構成などの、明らかにより複雑な解決策が、本発明の概念から逸脱することなしに使用され得る。
【００２９】
モニタリングカメラシステムの多目的性を高めるために、カメラは、ガイドレールなどに配置され、異なる静止カメラ位置の間で連続的な又は割り出し動作（ｉｎｄｅｘｅｄ  ｍｏｖｅｍｅｎｔ）を可能にすることが好適であり得る。そのような特徴は、特定の情景のぴったりと適合したカバレッジ（ｃｏｖｅｒａｇｅ）を可能にし、ガイドレールの使用は、チルト軸Ｔと第２の対称軸Ｓ２との間の位置合わせも保証する。一連の螺合開口部から実際のレールまでにわたり、ガイドレールには幾つかのオプションが存在し、それらに対して、カメラは、磁石、クランプ、又はねじ構成によって固定されてもよく、磁石レールに関する本出願人によるＥＰ２８８７３２８号を参照されたい。
【００３０】
ドーム自体は、ポリカーボネート又は別の適切な材料から製造され、ベースなどの構成要素は、プラスチック若しくは金属又は複合材料から製造され得る。材料の選択は、特定の用途に応じて調整され得るが、ほとんどの目的に対して、材料の選択は、ドームカメラの既存の分野で一般に使用され得る材料に限定され得る。ドームのための通常の厚さは、１〜３ｍｍであり、通常、約２ｍｍであり得る。射出成形が、ドームを製造するための適切な方法であり得る。
【００３１】
図９は、モニタリングカメラシステム１００の斜視図を示している。ドーム１０２が、完全にというよりはむしろ、その内部に配置された構成要素のために表示されている。幾つかのモニタリングカメラヘッド１０４が、マウント１１４を介してガイドレール１１２上に配置されている所が見える。カメラヘッドは、マウント上に旋回可能に配置され、したがって、チルト軸Ｔを提供する。図９では、中央コンソールが、その内部に配置された構成要素への視覚的なアクセスを可能にするために取り除かれている。これらは、明らかに、同じ又は類似の機能を取得する幾つかの異なるやり方であるが、本明細書で開示された本発明を有効にする目的で、図９で示される実施形態は有望な代替例である。カメラは、固定された焦点距離を有するレンズ、又は可変焦点のレンズであるが、未だ他の代替例も排除されない。例えば、中央セグメントの下方（範囲内）に配置されたカメラが、広角タイプのレンズを有し、その一例は魚眼レンズであり得る。
【図１】
0006363678.tif 000002
【図２】
0006363678.tif 000003
【図３】
0006363678.tif 000004
【図４】
0006363678.tif 000005
【図５】
0006363678.tif 000006
【図６】
0006363678.tif 000007
【図７】
0006363678.tif 000008
【図８】
0006363678.tif 000009
【図９】
0006363678.tif 000010